(57)【特許請求の範囲】
【請求項１】
コンデンサの静電容量の交流電圧特性に影響を及ぼすパラメータを変化させた場合におけるコンデンサの静電容量値変化とコンデンサに印加される交流電圧値との関係を予め取得する第１のステップと、
コンデンサの静電容量の設定値を初期値に設定する第２のステップと、
コンデンサを含んで構成される回路においてコンデンサにかかる交流電圧値を前記設定値に設定されたコンデンサの静電容量値を用いて算出する第３のステップと、
前記第１のステップで取得しておいた前記関係を基に前記第３のステップで算出された交流電圧値から前記回路におけるコンデンサの静電容量値を算出する第４のステップと、
前記第４のステップで算出されたコンデンサの静電容量値の算出値を前記設定値と比較する第５のステップとをコンピュータに実行させ、
コンピュータは、前記第５のステップで行った比較の結果が前記算出値と前記設定値とに差がある場合には、前記算出値を前記設定値に設定して前記第３、第４および第５のステップを繰り返して行い、前記第５のステップで行った比較の結果が前記算出値と前記設定値とに差がない場合には、前記算出値を前記回路におけるコンデンサの静電容量値に決定する
印加交流電圧を考慮したコンデンサの静電容量値決定方法。
【請求項２】
コンピュータは、
前記第２のステップにおいて、コンデンサに印加される交流電圧の周波数の設定値を初期値に設定し、
前記第５のステップで行った比較の結果が前記算出値と前記設定値とに差がない場合に、前記算出値を前記周波数の設定値での前記回路におけるコンデンサの静電容量値に決定し、前記周波数の設定値を一定範囲内で変化させて、前記第３、第４および第５のステップを繰り返して行う
ことを特徴とする請求項１に記載の印加交流電圧を考慮したコンデンサの静電容量値決定方法。
【請求項３】
コンデンサの静電容量の設定値に対する初期値を入力して前記設定値に設定する第１の手順と、
コンデンサを含んで構成される回路においてコンデンサにかかる交流電圧値を前記設定値に設定されたコンデンサの静電容量値を用いて算出する第２の手順と、
コンデンサの静電容量の交流電圧特性に影響を及ぼすパラメータを変化させた場合におけるコンデンサの静電容量値変化とコンデンサに印加される交流電圧値とのメモリに記憶された関係を基に、前記第２の手順で算出された交流電圧値から前記回路におけるコンデンサの静電容量値を算出する第３の手順と、
前記第３の手順で算出されたコンデンサの静電容量値の算出値を前記設定値と比較する第４の手順と、
前記第４の手順で行った比較の結果が前記算出値と前記設定値とに差がある場合には、前記算出値を前記設定値に設定して前記第２、第３および第４の手順を繰り返して行い、前記第４の手順で行った比較の結果が前記算出値と前記設定値とに差がない場合には、前記算出値を前記回路におけるコンデンサの静電容量値に決定する第５の手順と
をコンピュータに実行させるためのプログラム。
【請求項４】
前記第１の手順において、コンデンサに印加される交流電圧の周波数の設定値に対する初期値を入力して前記周波数の設定値に設定し、
前記第５の手順において前記算出値と前記設定値とに差がない場合に、前記算出値を前記周波数の設定値での前記回路におけるコンデンサの静電容量値に決定し、前記周波数の設定値を一定範囲内で変化させて、前記第２、第３および第４の手順を繰り返して行う
ことを特徴とする請求項３に記載のプログラム。
【請求項５】
前記パラメータは、コンデンサに印加される直流電圧値およびコンデンサに印加される交流電圧の周波数を少なくとも含むことを特徴とする請求項１もしくは請求項２に記載の印加交流電圧を考慮したコンデンサの静電容量値決定方法または請求項３もしくは請求項４に記載のプログラム。
【発明の詳細な説明】
【技術分野】
【０００１】
本発明は、コンデンサを含んで構成される回路においてコンデンサにかかる交流電圧値からコンデンサの静電容量値を決定する、印加交流電圧を考慮したコンデンサの静電容量値決定方法およびプログラムに関するものである。
【背景技術】
【０００２】
コンデンサの静電容量は、コンデンサに印加されるＤＣ電圧に対して変化するが、特許文献１に開示されたコンデンサの等価回路モデルでは、このコンデンサの振る舞いを、印加されるＤＣ電圧に応じて電流量が増減する電流源としてモデル化することで、静電容量の変化を考慮している。つまり、同等価回路モデルでは、交流電圧とＤＣバイアス電圧との重畳電圧がコンデンサ等価回路部に印加されると、交流電圧が基準電流生成部で参照されて基準電流が算出される。倍率生成部では、ＤＣバイアス電圧が参照されて、ＤＣバイアス電圧を変数とする倍率が算出される。電流源電流生成部では、これら基準電流と倍率とが参照されて、電流源で生成する電流が算出される。算出された電流は電流源電流生成部によって生成されて、コンデンサ等価回路部の基本回路に流される。したがって、コンデンサ等価回路部に流れる電流は、実際のコンデンサのＤＣバイアス特性に対応した電流となり、この電流をコンデンサの静電容量に対応づけることで、この等価回路モデルが実測に近いＤＣバイアス特性を示す。
【先行技術文献】
【特許文献】
【０００３】
【特許文献１】国際公開第２０１２／０９０６０２号パンフレット
【発明の概要】
【発明が解決しようとする課題】
【０００４】
チタン酸バリウム系の強誘電体を用いた高誘電率系積層セラミックコンデンサは、印加される直流（ＤＣ）電圧や交流（ＡＣ）電圧によって静電容量値が大きく変化するのが特徴である。そのため、この種のコンデンサが含まれる回路の設計においては、その電圧条件を想定して適切に考慮する必要がある。一般的にＡＣ電圧特性は、ＡＣ電圧値のレベル変化に対する静電容量値の変化を表すカーブ（曲線）として示されるが、このカーブはＡＣ電圧の周波数によっても異なる場合がある。また、ＡＣ電圧とＤＣ電圧とが同時に印加される場合には、印加されるＤＣ電圧値のレベルによっても、ＡＣ電圧特性は異なる。【０００５】
しかしながら、上記従来の特許文献１に開示されたコンデンサの静電容量の解析方法では、印加されるＡＣ電圧のレベルと周波数を一定値に固定した状態におけるＤＣ電圧特性だけしか考慮されていない。このため、特許文献１に開示されたコンデンサの等価回路モデルを用いて解析されるコンデンサの静電容量は、実使用状態での静電容量から乖離している可能性がある。
【課題を解決するための手段】
【０００６】
本発明はこのような課題を解決するためになされたもので、
コンデンサの静電容量の交流電圧特性に影響を及ぼすパラメータ、例えば、コンデンサに印加される直流電圧値やコンデンサに印加される交流電圧の周波数などを変化させた場合におけるコンデンサの静電容量値変化とコンデンサに印加される交流電圧値との関係を予め取得する第１のステップと、
コンデンサの静電容量の設定値を初期値に設定する第２のステップと、
コンデンサを含んで構成される回路においてコンデンサにかかる交流電圧値を設定値に設定されたコンデンサの静電容量値を用いて算出する第３のステップと、
第１のステップで取得しておいた前記関係を基に第３のステップで算出された交流電圧値から回路におけるコンデンサの静電容量値を算出する第４のステップと、
第４のステップで算出されたコンデンサの静電容量値の算出値を設定値と比較する第５のステップとをコンピュータに実行させ、
コンピュータは、第５のステップで行った比較の結果が算出値と設定値とに差がある場合には、算出値を設定値に設定して第３、第４および第５のステップを繰り返して行い、第５のステップで行った比較の結果が算出値と設定値とに差がない場合には、算出値を回路におけるコンデンサの静電容量値に決定する
印加交流電圧を考慮したコンデンサの静電容量値決定方法を構成した。
【０００７】
本構成のコンデンサの静電容量値決定方法においては、予め取得しておいたコンデンサの静電容量値変化と印加交流電圧値との関係を基に、回路においてコンデンサにかかる交流電圧値からコンデンサの静電容量値を算出し、算出したコンデンサの静電容量値と設定値に設定されているコンデンサの静電容量値とを比較する。そして、この比較の結果、両者に差がある場合には算出値を設定値に新たに設定して、同様の処理を繰り返す。両者に差がなくなった場合には、そのとき算出した静電容量値を回路における静電容量値と決定する。ここで、予め取得しておいたコンデンサの静電容量値変化と印加交流電圧値との関係は、コンデンサの静電容量の交流電圧特性に影響を及ぼすパラメータを変化させた場合における関係である。このため、コンデンサの静電容量値の算出値と設定値とに差がなくなって収束するコンデンサの静電容量値は、コンデンサの静電容量の交流電圧特性に影響を及ぼすパラメータを考慮した値となる。このため、考慮するパラメータを、回路が実際に使われる際に、コンデンサの静電容量の交流電圧特性に影響を及ぼすもの、例えば、コンデンサに印加される直流電圧値およびコンデンサに印加される交流電圧の周波数を少なくとも含むものなどとすることにより、得られるコンデンサの静電容量値は、実使用状態での静電容量値に即した厳密なものとなる。また、コンデンサの影響が及ぶ回路の各部における電圧や電流の特性についても、実使用状態に即して厳密に求めることができる。【０００８】
また、本発明は、
コンピュータが、
第２のステップにおいて、コンデンサに印加される交流電圧の周波数の設定値を初期値に設定し、
第５のステップで行った比較の結果が算出値と設定値とに差がない場合に、算出値を周波数の設定値での回路におけるコンデンサの静電容量値に決定し、周波数の設定値を一定範囲内で変化させて、第３、第４および第５のステップを繰り返して行う
ことを特徴とする。
【０００９】
本構成によれば、コンデンサに印加される交流電圧の周波数を一定範囲にわたって変化させた場合における各周波数について、コンデンサの静電容量値が決定される。このため、コンデンサの静電容量の周波数特性を一定範囲にわたって得ることが可能となる。従って、コンデンサの影響が及ぶ回路各部における電圧や電流の周波数特性も一定範囲について得ることが可能となる。【００１０】
また、本発明は、
コンデンサの静電容量の設定値に対する初期値を入力して設定値に設定する第１の手順と、
コンデンサを含んで構成される回路においてコンデンサにかかる交流電圧値を設定値に設定されたコンデンサの静電容量値を用いて算出する第２の手順と、
コンデンサの静電容量の交流電圧特性に影響を及ぼすパラメータを変化させた場合におけるコンデンサの静電容量値変化とコンデンサに印加される交流電圧値とのメモリに記憶された関係を基に、第２の手順で算出された交流電圧値から回路におけるコンデンサの静電容量値を算出する第３の手順と、
第３の手順で算出されたコンデンサの静電容量値の算出値を設定値と比較する第４の手順と、
第４の手順で行った比較の結果が算出値と設定値とに差がある場合には、算出値を設定値に設定して第２、第３および第４の手順を繰り返して行い、第４の手順で行った比較の結果が算出値と設定値とに差がない場合には、算出値を回路におけるコンデンサの静電容量値に決定する第５の手順と
をコンピュータに実行させるためのプログラムを構成した。【００１１】
本構成によれば、実使用状態に即した厳密なコンデンサの静電容量値が、コンピュータを用いた演算によって得られる。このため、本プログラムを用いることで、コンデンサを含む回路の高精度な回路シミュレータを構成することが可能になる。【００１２】
また、本発明は、上記のプログラムにおいて、
第１の手順において、コンデンサに印加される交流電圧の周波数の設定値に対する初期値を入力して周波数の設定値に設定し、
第５の手順において算出値と設定値とに差がない場合に、算出値を周波数の設定値での回路におけるコンデンサの静電容量値に決定し、周波数の設定値を一定範囲内で変化させて、第２、第３および第４の手順を繰り返して行う
ことを特徴とする。【００１３】
本構成によれば、コンデンサの静電容量値についての実使用状態に即した厳密な周波数特性が、コンピュータを用いた演算によって得られる。このため、本プログラムを用いることで、コンデンサの周波数特性を高精度に解析することが可能な回路シミュレータを構成することが可能になる。
【発明の効果】
【００１４】
本発明によれば、上記のように、実使用状態に即した厳密なコンデンサの静電容量値が得られる、印加交流電圧を考慮したコンデンサの静電容量値決定方法およびプログラムを提供することができる。
【図面の簡単な説明】
【００１５】
【図１】本発明の第１の実施の形態によるコンデンサの静電容量値決定方法を示すフローチャートである。
【図２】本発明の第２の実施の形態によるコンデンサの静電容量値決定方法を示すフローチャートである。
【図３】各実施形態において予め取得される、コンデンサの静電容量値変化とコンデンサに印加されるＡＣ電圧値との関係の一測定例を示すグラフである。
【図４】コンデンサの静電容量値変化とコンデンサに印加されるＡＣ電圧値とが図３のグラフに示される関係を有するコンデンサを用いたシミュレーション回路の一例を示す図である。
【図５】図４に示される回路におけるコンデンサの静電容量値をシミュレートした結果を示すグラフである。
【発明を実施するための形態】
【００１６】
次に、本発明による印加交流電圧を考慮したコンデンサの静電容量値決定方法およびプログラムを実施するための形態について、説明する。
【００１７】
図１は、第１の実施の形態によるコンデンサの静電容量値決定方法を示すフローチャートである。
【００１８】
このコンデンサの静電容量値決定方法では、まず、第１のステップＳ１で、コンデンサの静電容量のＡＣ電圧特性に影響を及ぼす各種パラメータを変化させた場合における、コンデンサの静電容量値変化とコンデンサに印加されるＡＣ電圧値（ＡＣ電圧レベル）との関係を予め取得する。本実施形態では、コンデンサの静電容量のＡＣ電圧特性に影響を及ぼすパラメータとして、コンデンサに印加されるＤＣ電圧値（ＤＣ電圧レベル）、およびコンデンサに印加されるＡＣ電圧の周波数を用いる。また、コンデンサの静電容量値変化とコンデンサに印加されるＡＣ電圧値との関係（ＡＣ電圧値vs容量）は、印加ＡＣ電圧値を変数として静電容量値を近似的に表す近似式や、テーブルデータなどとして表され、メモリなどの記憶部Ｍ１に記憶しておく。
【００１９】
ここで、コンデンサの静電容量のいわゆるＡＣ電圧特性は、コンデンサに印加されるＤＣ電圧値およびコンデンサに印加されるＡＣ電圧の周波数を固定値に設定しておき、コンデンサに印加されるＡＣ電圧の値、つまりＡＣ電圧レベルを変化させた場合に呈する静電容量値変化をいう。また、コンデンサの静電容量のいわゆるＤＣ電圧特性は、コンデンサに印加されるＡＣ電圧値およびコンデンサに印加されるＡＣ電圧の周波数を固定値に設定しておき、コンデンサに印加されるＤＣ電圧の値、つまりＤＣ電圧レベルを変化させた場合に呈する静電容量値変化をいう。ＡＣ電圧特性は、コンデンサに印加されるＡＣ電圧の周波数を変化させた場合にも、変化する。
【００２０】
次に、第２のステップＳ２で、コンデンサの静電容量の設定値を初期値に設定する。この初期値としては、コンデンサへの特定の印加ＤＣ電圧条件および特定の印加ＡＣ電圧条件で取得されたカタログ値などを用いる。次に、第３のステップＳ３で回路計算を実施し、コンデンサを含んで構成される回路においてコンデンサにかかるＡＣ電圧値を、設定値に設定されたコンデンサの静電容量値を用いて算出する。次に、第４のステップで、第１のステップで記憶部Ｍ１に記憶しておいた、ＡＣ電圧値vs容量の関係を表す近似式またはテーブルデータを参照し、第３のステップで算出されたＡＣ電圧値から回路におけるコンデンサの静電容量値を算出する。
【００２１】
次に、第５のステップで、第４のステップで算出されたコンデンサの静電容量値の算出値を設定値と比較する。この比較の結果が算出値と設定値とに差があり、静電容量値が収束していなくて第５のステップＳ５の判別結果がＮｏである場合には、第４のステップで算出された算出値を設定値に設定して設定値を更新し、第３、第４および第５のステップＳ３、Ｓ４、Ｓ５を繰り返して行う。一方、第５のステップＳ５で行った比較の結果が算出値と設定値とに差がなく、静電容量値が収束していて第５のステップＳ５の判別結果がＹｅｓである場合には、静電容量の算出値を回路におけるコンデンサの静電容量値に決定する。
【００２２】
コンデンサに印加されるＡＣ電圧値のレベルとコンデンサの静電容量とは共に相互作用するパラメータである。コンデンサを含む回路においてコンデンサの静電容量を求めるには、これら両パラメータ間で矛盾の無い両者の組み合わせを探索することで、解を取得する。このため、本実施形態のコンデンサの静電容量値決定方法においては、上記のように、近似式またはテーブルデータとして予め取得しておいたコンデンサの静電容量値変化とＡＣ電圧値との関係を基に、コンデンサにかかるＡＣ電圧値からコンデンサの静電容量値を算出し、算出したコンデンサの静電容量値と設定値に設定されているコンデンサの静電容量値とを比較する。そして、この比較の結果、両者に差がある場合には算出値を設定値に新たに設定して、同様の処理を繰り返す。収束して両者に差がなくなった場合には、両者の組み合わせに矛盾が無くなったものと判断し、そのとき算出した静電容量値を回路における静電容量値と決定する。
【００２３】
ここで、予め取得しておいたコンデンサの静電容量値変化と印加ＡＣ電圧値との関係は、コンデンサの静電容量のＡＣ電圧特性に影響を及ぼすパラメータ、本実施形態では印加ＤＣ電圧値およびＡＣ電圧周波数を変化させた場合における関係である。このため、コンデンサの静電容量値の算出値と設定値とに差がなくなって収束するコンデンサの静電容量値は、コンデンサの静電容量のＡＣ電圧特性に影響を及ぼす印加ＤＣ電圧値およびＡＣ電圧周波数を考慮した値となる。このため、考慮するパラメータを、回路が実際に使われる際に、コンデンサの静電容量のＡＣ電圧特性に影響を及ぼす上記の印加ＤＣ電圧値およびＡＣ電圧周波数とすることにより、得られるコンデンサの静電容量値は、印加ＤＣ電圧値およびＡＣ電圧周波数並びに印加ＡＣ電圧値の少なくとも３変数を考慮した、実使用状態での静電容量値に即した厳密なものとなる。また、コンデンサの影響が及ぶ回路の各部における電圧や電流の特性についても、厳密に得られた静電容量値を基に、実使用状態に即して厳密に求めることができる。
【００２４】
図２は、第２の実施の形態によるコンデンサの静電容量値決定方法を示すフローチャートである。なお、同図において図１と同一処理および同一部分には同一符号を付してその説明は省略する。
【００２５】
この第２の実施形態によるコンデンサの静電容量値決定方法では、第１のステップＳ１で、コンデンサの静電容量値変化とコンデンサに印加されるＡＣ電圧値との関係を予め取得した後、第２のステップＳ２ａで、コンデンサに印加されるＡＣ電圧の周波数設定値を初期値に設定する。この初期値としては、ＡＣ電圧周波数特性のシミュレートしたい一定範囲の開始値が設定される。
【００２６】
また、第５のステップＳ５において算出値と設定値とに差がなく、静電容量値が収束して第５のステップＳ５の判別結果がＹｅｓである場合には、第６のステップＳ６において、第５のステップＳ５で計算した算出値を、そのとき周波数設定値に設定されている周波数での、回路におけるコンデンサの静電容量値に決定する。そして、計算した算出値の計算結果を、メモリ等の記憶部Ｍ２に記憶する。この計算結果には、決定した静電容量値を用いて算出される回路各部の電圧値や電流値等の算出値も含まれる。
【００２７】
次に、第７のステップＳ７において、ＡＣ電圧周波数特性のシミュレートしたい一定範囲の全てにわたって周波数挿引が完了したか否か、つまり、挿引した周波数が最終値に達したか否か、判別する。全ての周波数範囲にわたって周波数挿引が完了しておらず、第７のステップＳ７の判別結果がＮｏである場合には、第８のステップＳ８において、周波数の設定値を所定値分増加し、周波数ステップをひとつ進める。そして、第２〜第７のステップＳ２〜Ｓ７を繰り返して行う。この際、第２のステップＳ２では、静電容量の設定値に、前回の第４のステップＳ４で算出された静電容量値が設定される。従って、静電容量の設定値は、第２〜第７のステップＳ２〜Ｓ７を繰り返して行う度に、更新される。
【００２８】
周波数の設定値を一定範囲内で変化させて、シミュレートしたい一定範囲の全てにわたって周波数挿引が完了し、第７のステップの判別結果がＹｅｓである場合には、処理を終了する。
【００２９】
上記の第２の実施形態のコンデンサの静電容量値決定方法によれば、コンデンサに印加されるＡＣ電圧の周波数を一定範囲にわたって変化させた場合における各周波数について、コンデンサの静電容量値および回路各部の電圧値や電流値等が決定される。このため、コンデンサの静電容量の周波数特性、および、コンデンサの影響が及ぶ回路各部における所望の電圧や電流の周波数特性を、一定範囲について得ることが可能となる。
【００３０】
図３は、上記の各実施形態において記憶部Ｍ１に記憶される、セラミックコンデンサの静電容量値変化とコンデンサに印加されるＡＣ電圧値との関係（ＡＣ電圧値vs容量）の一測定例を示すグラフである。同グラフの横軸はＡＣ電圧[Vrms]、縦軸は静電容量[nF]を表す。また、曲線ｙは、コンデンサに印加されるＡＣ電圧値を変化させた場合における、コンデンサの静電容量値変化を示す測定結果である。測定は、本来であれば、コンデンサの静電容量のＡＣ電圧特性に影響を及ぼすパラメータ、上記の各実施形態では、コンデンサに印加されるＤＣ電圧値およびコンデンサに印加されるＡＣ電圧の周波数を変化させるのであるが、ここでは、簡単にするため、コンデンサに印加されるＤＣ電圧値を０[Ｖ]、コンデンサに印加されるＡＣ電圧の周波数を１[ＭＨｚ]に固定して測定した。この曲線ｙは、印加ＡＣ電圧値を変数ｘとする３次方程式で近似すると、近似式が以下の（１）式で表される。
ｙ＝１．４９４９ｘ３−７．８３６８ｘ２＋１６．９３３ｘ＋１４．１１２  …（１）
【００３１】
図４は、近似式が上記の（１）式で表されるＡＣ電圧値vs容量の関係を有するコンデンサＣ１を用いた回路の一例を示し、この回路を用いて、回路シミュレーションを行った。回路は、図示するように、コンデンサＣ１と抵抗Ｒ１との直列回路にＡＣ電圧源Ｖが直列接続されて、構成される。抵抗Ｒ１は抵抗値が５０[Ω]で、ＡＣ電圧源Ｖは、出力電圧波形が正弦波形、出力電圧値が１[Ｖ]、周波数が１[ＭＨｚ]である。（１）式で表される近似式を回路シミュレータにセットし、この回路におけるコンデンサＣ１の静電容量値[nF]を、初期値を２２[nF]にして、上記のフローチャートに従ってシミュレートした。
【００３２】
図５は、このシミュレート結果を示すグラフである。同グラフの横軸は、第３、第４および第５のステップＳ３、Ｓ４、Ｓ５の繰り返し反復回数[回]、縦軸は、第４のステップで算出される静電容量値[nF]を表す。また、丸印のプロットはシミュレート値を示す。
【００３３】
同グラフに示されるように、反復回数が５回目以降で静電容量値は１５．４[nF]に収束している。
【００３４】
このシミュレートは単一のＡＣ電圧周波数での結果であり、第２の実施形態では、近似式を各ＡＣ電圧周波数毎に用意し、ＡＣ電圧周波数を所望の周波数範囲で挿引して計算する。
【産業上の利用可能性】
【００３５】
上記の各実施形態によるコンデンサの静電容量値決定方法は、次のようにしてコンピュータプログラムとしても実現することができ、簡単に利用することができる。【００３６】
つまり、第１の実施形態によるコンデンサの静電容量値決定方法は、
コンデンサの静電容量の設定値に対する初期値を入力して設定値に設定する第１の手順と、
コンデンサを含んで構成される回路において、コンデンサにかかるＡＣ電圧値を、設定値に設定されたコンデンサの静電容量値を用いて算出する第２の手順と、
コンデンサの静電容量のＡＣ電圧特性に影響を及ぼすパラメータを変化させた場合におけるコンデンサの静電容量値変化とコンデンサに印加されるＡＣ電圧値との記憶部Ｍ１に記憶された関係を基に、第２の手順で算出されたＡＣ電圧値から回路におけるコンデンサの静電容量値を算出する第３の手順と、
第３の手順で算出されたコンデンサの静電容量値の算出値を設定値と比較する第４の手順と、
第４の手順で行った比較の結果が算出値と設定値とに差がある場合には、算出値を設定値に設定して第２、第３および第４の手順を繰り返して行い、第４の手順で行った比較の結果が算出値と設定値とに差がない場合には、算出値を回路におけるコンデンサの静電容量値に決定する第５の手順と
をコンピュータに実行させるためのプログラムとして、構成することができる。【００３７】
本構成のプログラムによれば、実使用状態に即した厳密なコンデンサの静電容量値が、コンピュータを用いた演算によって得られる。このため、本プログラムを用いることで、コンデンサを含む回路の高精度な回路シミュレータを構成することが可能になる。ここで、回路シミュレータとは、電気回路の基本法則であるオームの法則やキルヒホッフの法則などを基に、各種の受動回路素子や能動回路素子の物理的な特性を記述したパラメータに対して、電圧や電流の過渡特性や周波数特性などを計算するプログラムをいう。【００３８】
また、第２の実施形態によるコンデンサの静電容量値決定方法は、
上記のプログラムの第１の手順において、コンデンサに印加される交流電圧の周波数の設定値に対する初期値を入力して周波数の設定値に設定し、
第５の手順において算出値と設定値とに差がない場合に、算出値を周波数の設定値での回路におけるコンデンサの静電容量値に決定し、周波数の設定値を一定範囲内で変化させて、上記の第２、第３および第４の手順を繰り返して行う
ことで、コンピュータプログラムとして構成することができる。【００３９】
本構成のプログラムによれば、コンデンサの静電容量値についての実使用状態に即した厳密な周波数特性が、コンピュータを用いた演算によって得られる。このため、本プログラムを用いることで、コンデンサの周波数特性を高精度に解析することが可能な回路シミュレータを構成することが可能になる。【００４０】
また、上記の各コンピュータプログラムは、上記各コンピュータプログラムを備えるサーバにインターネット網を介してアクセスすることで、インターネット網に接続されたパーソナルコンピュータ等の端末から使用することが出来る。本構成によれば、利用者は、インターネット網に接続された端末から上記各コンピュータプログラムを備えるサーバにアクセスすることで、上記各コンピュータプログラムを容易に使用することが出来る。このため、上記の各実施形態によるコンデンサの静電容量値決定方法を多数の利用者に提供することが可能になる。【００４１】
なお、上記の各実施形態によるコンデンサの静電容量値決定方法および各プログラムでは、コンデンサの静電容量のＡＣ電圧特性に影響を及ぼすパラメータとして、コンデンサに印加されるＤＣ電圧値およびコンデンサに印加されるＡＣ電圧の周波数を用いた場合について説明したが、パラメータはこれに限定されるものでは無い。例えば、コンデンサの温度や、コンデンサに電圧印加する時間などのエージング条件なども、上記のパラメータとなり、実際に使用する回路の状況に応じて、これらパラメータを変化させた場合における印加ＡＣ電圧値と静電容量値との関係を予め取得しておき、テーブルデータや近似式として記憶部Ｍ１に記憶するようにしてもよい。このようにパラメータ変更時のＡＣ電圧特性データを予め取得しておくことで、あらゆるパラメータを考慮して、コンデンサの静電容量および回路各部の電流電圧特性をシミュレートすることが可能となる。
【符号の説明】
【００４２】
Ｍ１、Ｍ２…記憶部
Ｖ…ＡＣ電圧源
Ｃ１…コンデンサ
Ｒ１…抵抗
【図１】
0005999266.tif 000002
【図２】
0005999266.tif 000003
【図３】
0005999266.tif 000004
【図４】
0005999266.tif 000005
【図５】
0005999266.tif 000006